(57)【要約】      （修正有）【課題】食品、調味料等の瓶詰め又は缶詰容器や、小型食器、小型調理具等を極めて効率よく収納することができ、収納された物を全体的に亘って目視することができ、必要な物をすぐに取り出すことができるキッチン用収納装置を提供すること。【解決手段】略平板形状のベース部材Ａと、該ベース部材Ａを垂直状態で往復移動により出入自在に収容する収容部１３と、前記ベース部材Ａに装着される収納アタッチメントＢとからなること。前記ベース部材Ａには、多数の被係止孔１ａが形成され、前記収納アタッチメントＢには前記被係止孔１ａに係止し且つ取り外し自在な係止部８が形成されること。前記収納アタッチメントＢは前記係止部８を介して前記ベース部材Ａの被係止孔１ａに着脱自在としてなること。【選択図】図１
0003110042.tif 000002
【実用新案登録請求の範囲】
【請求項１】
略平板形状のベース部材と、該ベース部材を垂直状態で往復移動により出入自在に収容する収容部と、前記ベース部材に装着される収納アタッチメントとからなることを特徴とするキッチン用収納装置。
【請求項２】
略平板形状のベース部材と、該ベース部材を垂直状態で往復移動により出入自在に収容する収容部と、前記ベース部材に装着される収納アタッチメントとからなり、前記ベース部材には、多数の被係止孔が形成され、前記収納アタッチメントには前記被係止孔に係止し且つ取り外し自在な係止部が形成され、前記収納アタッチメントは前記係止部を介して前記ベース部材の被係止孔に着脱自在としてなることを特徴とするキッチン用収納装置。
【請求項３】
略平板形状のベース部材と、該ベース部材を垂直状態で往復移動により出入自在に収容する収容部と、前記ベース部材に装着される収納アタッチメントとからなり、前記ベース部材には、多数の被係止孔が形成され、前記収納アタッチメントには前記被係止孔に係止し且つ取り外し自在な係止部が形成され、前記収納アタッチメントは前記係止部を介して前記ベース部材の被係止孔に着脱自在とし、前記ベース部材と前記収容部との間にはスライドレールが装着されてなることを特徴とするキッチン用収納装置。
【請求項４】
略平板形状のベース部材と、該ベース部材を垂直状態で往復移動により出入自在に収容する収容部と、前記ベース部材に装着される収納アタッチメントとからなり、前記ベース部材には、多数の被係止孔が形成され、前記収納アタッチメントには前記被係止孔に係止し且つ取り外し自在な係止部が形成され、前記収納アタッチメントは前記係止部を介して前記ベース部材の被係止孔に着脱自在とし、前記収納アタッチメントは、先端に鉤形状の吊下部が形成されてなることを特徴とするキッチン用収納装置。
【請求項５】
略平板形状のベース部材と、該ベース部材を垂直状態で往復移動により出入自在に収容する収容部と、前記ベース部材に装着される収納アタッチメントとからなり、前記ベース部材には、多数の被係止孔が形成され、前記収納アタッチメントには前記被係止孔に係止し且つ取り外し自在な係止部が形成され、前記収納アタッチメントは前記係止部を介して前記ベース部材の被係止孔に着脱自在とし、前記ベース部材の移動方向外側端部には、前記収容部を閉鎖する扉部が装着されてなることを特徴とするキッチン用収納装置。
【考案の詳細な説明】
【技術分野】
【０００１】
本考案は、食品、調味料等の瓶詰め又は缶詰容器や、小型食器、小型調理具等を極めて効率よく収納することができ、収納された物を全体的に亘って目視することができ、必要な物をすぐに取り出すことができるキッチン用収納装置に関する。
【背景技術】
【０００２】
従来より、調理装置、収納部等を一体的にしたシステムキッチンでは、食品、調味料などを収納したり、あるいは調理具等を収納するために、種々の工夫を凝らしたものが多く存在している。また、使用する人の都合に合わせて収納部内を好みの区分けにすることが自由に行うことができるようにしたものも存在している。特に、システムキッチンには、特許文献１に見られるように、大小、多数の引き出しが備わっているものである。また、同様に多数の棚が装備されている。
【特許文献１】特開２００１−２２４４５１
【考案の開示】
【考案が解決しようとする課題】
【０００３】
上述したように、従来のシステムキッチンの収納構造の代表的なものとして戸棚、引出タイプのものが多い。ところが、棚や引出は、その瓶詰めなどが多数収納されているときには、その奥側に収納された物は、手前側の収納物によりその頂部しか確認できず、何が収納されているのかを確認することができなかった。
【０００４】
そのために引出や棚の奥側に収納されているものを確認するために、全面側に収納されているものを一旦、取り出すこともあり、面倒で且つ再び収納する等、時間的にも無駄な作業が増える等、多くの欠点があった。これでは、料理をしているときや食事をしているときに、棚や引出にある種々のソース類又は出汁類などから所望のものを取り出すのに時間がかかり、料理作業に悪影響を及ぼす。
【０００５】
また、食事の時においては、調味料を探している間に食事が冷えてしまい、興醒めすることになってしまう。このようなことから、本考案の目的は、引出及び棚に収納された物が見やすく、且つすばやく取り出しやすくし、さらに収納配置を適宜自由に好みに応じて設定することができるようにすることにある。
【課題を解決するための手段】
【０００６】
そこで、考案者は、上記課題を解決すべく、鋭意，研究を重ねた結果、請求項１の考案を、略平板形状のベース部材Ａと、該ベース部材Ａを垂直状態で往復移動により出入自在に収容する収容部と、前記ベース部材Ａに着脱自在な収納アタッチメントとからなるキッチン用収納装置としたことにより、上記課題を解決したものである。
【０００７】
次に、請求項２の考案を、前述の構成において、前記ベース部材Ａの移動方向外側端部には、前記収容部を閉鎖する扉板が装着されてなるキッチン用収納装置としたことにより、上記課題を解決したものである。次に、請求項３の考案を、前述の構成において、前記ベース部材Ａには、多数の被係止孔が形成され、前記収納アタッチメントには前記被係止孔に係止し且つ取り外し自在な係止部が形成されてなるキッチン用収納装置としたことにより、上記課題を解決したものである。
【０００８】
次に、請求項４の考案を、前述の構成において、前記ベース部材Ａと前記収容部との間にはスライドレールが装着されてなるキッチン用収納装置としたことにより、上記課題を解決したものである。次に、請求項５の考案を、前述の構成において、前記収納アタッチメントは、先端に鉤形状の吊下部が形成されてなるキッチン用収納装置としたことにより、上記課題を解決したものである。
【考案の効果】
【０００９】
請求項１の考案によれば、略平板形状のベース部材を収容部に垂直状態で往復移動により出入自在に収容することができるので、前記ベース部材を収容部から略全体を引き出すことにより、前記収納アタッチメントに収納された瓶詰め、調味料容器等をベース部材の全体から見ることができる。
【００１０】
これによって、収納物の収納状態を良好且つ効率的にに見ることができるものである。これによって、ベース部材の収納アタッチメントの奥側に収納された物も簡単に確認することができるし、またベース部材が垂直状になっており、これに装着された収納アタッチメントから収納物を取り出したり再度収納することが容易にできるものである。
【００１１】
次に、請求項２の考案は、前記ベース部材に形成された多数の被係止孔に、前記収納アタッチメントに形成された係止部を介して、その収納アタッチメントをベース部材に着脱自在な構造としたことで、その多数の被係止孔によって、収納アタッチメントをベース部材の被係止孔の形成領域のいずれの箇所にも装着することができる。これによって、使用する人に都合の良い収納配置とすることができる。その他の効果は、請求項１の効果と同一である。請求項３の考案は、スライドレールを介して前記ベース部材を収容部から往復移動させて出入する構成としているので、ベース部材の往復動作を極めて容易にすることができる。
【００１２】
次に、請求項４の考案は、収納アタッチメントを先端に鉤形状の吊下部が形成されたものとしたことで、玉しゃくし、長箸等の吊下げ収納タイプの調理器具の収納も可能にすることができるものである。次に、請求項５の考案は、ベース部材の移動方向外側端部に前記収容部を閉鎖する扉板を装着した構造としたことにより、ベース部材を収容部に収容するのみで、同時に収容部に扉を閉じる状態にすることができるものである。
【考案を実施するための最良の形態】
【００１３】
以下、本考案の実施形態を図面に基づいて説明する。本考案の構成は、図１，図３等に示すように、略平板形状のベース部材Ａと、該ベース部材Ａを垂直状態で往復移動により出入自在に収容する収容部１３と、前記ベース部材Ａに装着される収納アタッチメントＢとから構成されている。本考案は、特に、システムキッチンセットへの装着に好適なものである。
【００１４】
そのベース部材Ａは、金属製、木製、合成樹脂製等である。特に、金属製の場合は、アルミ製等が使用されることが好ましい。前記ベース部材Ａを金属製とした場合には、図２（Ｂ）に示すように、主板１及び支持板２とから構成される。その主板１は、図２（Ａ）に示すように、多数の被係止孔１ａ，１ａ，…が穿孔形成されている。まず、前記主板１は、長方形，正方形等の方形状に形成されている。またその周囲の各辺から裏面側に略直角状に折曲片１ｂ，１ｂ，…が折曲げ形成されている。
【００１５】
その折曲片１ｂ，１ｂ，…は、前記主板１と前記支持板２とを適宜の間隔をおいて固着する役目をなすものである。前記被係止孔１ａ，１ａ，…は、主板１の上方側から下方側に向かって碁盤目のように行列状に配置されている。各被係止孔１ａは、長方形，正方形等の方形状に形成されている。具体的には、前記ベース部材Ａの主板１の正面のサイズは高さ５４０mmであり、幅４５０mmであり、前記被係止孔１ａ，１ａ，…の数は高さ方向に１３個、幅方向に１１個形成されている。各被係止孔１ａ，１ａの形成間隔は、後述する収納アタッチメントＢに形成された係止部の間隔に対応している。
【００１６】
また、支持板２は、図２（Ｂ）に示すように、長方形，正方形等の方形状に形成された面板部２ａの幅方向両側には、折曲片２ｂ，２ｂ，…が形成されており、前記主板１の折曲片１ｂ，１ｂ，…とビス等の固着具を介して連結固着されている。この支持板２は、前記ベース部材Ａを構造的に補強する役目をなしている。前記主板１と支持板２の面板部２ａとは適宜の間隔を有している。この間隔によって、被係止孔１ａ，１ａ，…に後述する収納アタッチメントＢの係止部８を係止しやすい構造となっている。
【００１７】
また、その支持板２には、後述するスライドレールＣのスライド部が装着されるようになっており、そのスライドレールＣを介してベース部材Ａをスライドさせるものである。次にベース部材Ａには、その往復移動方向の外側位置に連結ブラケットを介して、扉部３が装着されている。該扉部３は、前記ブラケット４を介してベース部材Ａに連結固着されている。そのブラケット４は、前記主板１に固着されている。
【００１８】
次に、前記収納アタッチメントＢは、複数の実施例が存在する。まずその第１実施例としては、図５（Ａ），（Ｂ）に示すように、ビン，ボトル，缶，パッケージ等の収納物を収納する筐体状収納具Ｂ1 であって、底板部５，正面側部６及び両側面部７，７から構成され、さらに４箇所に係止部８，８，…が形成されている。そして、この筐体状収納具Ｂ1 と前記ベース部材Ａとによって、ビン，缶等の収納物を収納可能な筐体又はラックを構成している。また、前記底板部５と正面側部６とはアルミ引抜き加工等によって一体的に形成される。また両側面部７，７は合成樹脂等により形成されている。
【００１９】
前記係止部８，８は、前記両側面部７，７にそれぞれ形成されている。この筐体状収納具Ｂ1 は、そのサイズによって複数の種類が存在するようにしている。特に、幅方向に短いサイズのものと、幅方向に長いサイズのものが存在する。その短いサイズの筐体状収納具Ｂ1 は、前記ベース部材Ａの幅方向に２つ装着することができる。また長いサイズの筐体状収納具Ｂ1 は、図３に示すように、そのベース部材Ａの幅方向に一つのみ装着することができる。
【００２０】
その筐体状収納具Ｂ1 は、ベース部材Ａに着脱自在に装着することができるものであり、着脱自在な装着構造は、前記係止部８，８と被係止孔１ａ，１ａ，…との係止により行われる。前記係止部８は、図５（Ｂ）に示すように、逆「Ｌ」字形状の鉤形状に形成されたものであり、その係止部８と被係止孔１ａとの係止は、図５（Ｃ）に示すように、被係止孔１ａにその係止部８を挿入しつつ、下方に僅かに下げることによって、被係止孔１ａに固定状態にすることができる。
【００２１】
さらに、前記収納アタッチメントＢの第２の実施例としては、図６（Ａ），（Ｂ）に示すように、係止部８と吊下部９とから構成されたものである。その係止部８の反対側に軸状又は棒形状で且つ鉤形状とした吊下部９が形成された吊下具Ｂ2 が存在する。この吊下具Ｂ2 は、特に、ベース部材Ａに装着して、玉しゃくし、長箸等の調理器具を吊るすようにして、使用することができるものである。
【００２２】
その係止部８は、係止基部８ａの係止フック８ｂからなり、その係止基部８ａの係止フック８ｂの形成側とは反対側面に略軸状の吊下部９が形成されている。該吊下部９は、前記係止基部８ａの面に対して略直角に突出し、適宜の箇所より上方に向かって屈曲形成されたものである。この吊下具Ｂ2 は、前記主板１の被係止孔１ａに係止フック８ｂを介して係止固定したときに、前記吊下部９の軸先端部位が僅かに上方に向かって形成されたものであり、玉しゃくし等の柄を備えた調理具のようにつり下げて収納するものに対して好適である。また、長箸等の調理器具を吊ることにも都合のよいものである。
【００２３】
次に、その収納アタッチメントＢの第３実施例として、図６（Ｃ）に示すように、振止具Ｂ3 が存在する。この振止具Ｂ3 は、図６（Ｅ）に示すように、前記吊下具Ｂ2 と共に使用するものである。これは、前記係止部８において、係止基部８ａの係止フック８ｂの形成側とは反対側に水平面上に沿って略Ｃ字形状で且つ幅方向の一部に出入部１０ａを設けた振止め腕状部１０が形成されたものである。振止め腕状部１０は、前述したように、平面的に見て略Ｃ字形状をなしているが、これは、略長方形，正方形等の角形Ｃ字形状であることが好ましい。また、前記振止め腕状部１０は、角の無い略円形状のＣ字形状としてもよい。
【００２４】
前記出入部１０ａは、係止基部８ａの表面側付近に形成されることが好ましく、前記係止基部８ａの正面に対して適宜に間隔をおいて振止め腕状部１０の一部が存在するようになっている。そして、前記玉しゃくし等の柄の部分が吊下状態で前後方向に揺れようとすることを防止できる構成となっている。この振止具Ｂ3 は、前記吊下具Ｂ2 の下方に位置して前記主板１の被係止孔１ａに係止される。
【００２５】
このような構成とすることで、玉しゃくしの柄の先端を前記吊下具Ｂ2 の吊下部９によって吊り下げられ、その柄の下部が前記略Ｃ字形状の振止め腕状部１０の一部に設けた出入部１０ａから挿入するようにして、略Ｃ字形状の振止め腕状部１０の内部に玉しゃくしの柄を位置させることで、前記吊下具Ｂ2 に吊り下げた玉しゃくしが引出の出し入れ動作によって、その勢いで脱落したり、あるいは騒音を生じることを防止できるものである。この別のタイプの収納アタッチメントＢの装着方法は、前記筐体状の収納アタッチメントＢと同様である。
【００２６】
そのベース部材Ａは、収容部１３に対して往復移動して出入させる構造となっている。その出入は、前記扉部３の取手を掴みながら引き出すようにして行うもので、通常の引出の操作と略同様にして行うことができる。前記ベース部材Ａの収容部１３からの往復移動を行う移動機構には、引出ガイドが使用される。その引出ガイドの具体例として、スライドレールＣが使用されるものである。該スライドレールＣは、通常の市販品のものが使用される。
【００２７】
具体的には、そのスライドレールＣは、図７（Ａ），（Ｂ）に示すように、レールベース部１１とスライド部１２とから構成される。前記レールベース部１１に対してスライド部１２が滑らかに移動するものであって、レールベース部１１が収容部１３の内壁面に固着され、スライド部１２が前記ベース部材Ａに固着される。さらに具体的には、ベース部材Ａの裏面側となる支持板２に固着される。そのスライド部１２は、図３（Ｂ）に示すように、ベース部材Ａに対して上下に平行となるように固着されている。
【００２８】
また、前記ベース部材Ａの引出ガイドの別の実施例としては、前記収容部１３の底面及び天井面に溝形レール１４がそれぞれ設けられたものである。この実施例では、図９に示すように、その上下に設けた両溝形レール１４，１４に、前記ベース部材Ａの上端及び下端が嵌め込まれ、該ベース部材Ａが両溝形レール１４，１４に沿って往復移動自在としたものである。この実施例では、前記ベース部材Ａに装着された扉部３の下端に補助ローラ１５が装着されることがあり、この補助ローラ１５によってベース部材Ａの引き出し動作をより一層円滑にすることができるようにすることもある。
【００２９】
その収容部１３は、システムキッチンの一部の部位として形成されたものである。また、その収容部１３は、独立した単独のキッチン家具とする場合もある。さらに、前記扉部３は、前記ベース部材Ａに装着するものではなく、図８に示すように、前記収容部１３側の開口部に蝶番等の金具を介して開閉自在に装着してもかまわない。この場合には、前記扉部３を開閉する動作とベース部材Ａを収容部１３から引き出す動作は、それぞれ別の独立した動作となる。
【図面の簡単な説明】
【００３０】
【図１】本考案をキッチンシステムに使用した斜視図である。
【図２】（Ａ）はベース部材の斜視図、（Ｂ）は扉部の斜視図、（Ｃ）は（Ａ）のベース部材に扉部を装着した状態の横断平面図である。
【図３】（Ａ）はベース部材を収容部に収容した状態の一部断面にした側面図、（Ｂ）はベース部材を収容部から引き出した状態の一部断面にした側面図である。
【図４】（Ａ）はベース部材を収容部に収容した状態の一部断面にした平面図、（Ｂ）はベース部材を収容部から引き出した状態の一部断面にした平面図である。
【図５】（Ａ）は収納アタッチメントの斜視図、（Ｂ）は（Ａ）の一部断面にした側面図、（Ｃ）は係止部を被係止孔に係止する構造を示す断面図である。
【図６】（Ａ）は吊下具の斜視図、（Ｂ）は別の方向から見た吊下具の斜視図、（Ｃ）は振止具の斜視図、（Ｄ）は係止部を被係止孔に係止する構造を示す一部断面とした側面図、（Ｅ）は吊下具と振止具により玉しゃくしを収納している状態の斜視図である。
【図７】（Ａ）はスライドレールの縦断側面図、（Ｂ）スライドレールの要部斜視図である。
【図８】扉部が収容部に装着された本考案の実施例を示す横断平面図である。
【図９】（Ａ）はベース部材の別の実施例の移動機構の一部断面にした側面図、（Ｂ）は（Ａ）のＸ −Ｘ 矢視断面図である。
【符号の説明】
【００３１】
Ａ…ベース部材、Ｂ…収納アタッチメント、Ｃ…スライドレール、１…主板、
１ａ…被係止孔、１ｂ…折曲片、２…支持板、２ａ…面板部、２ｂ…折曲片、３…扉部、４…ブラケット、５…底板部、６…正面側部、７…側面部、８…係止部、１３…収容部、１１…レールベース部、１２…スライド部。
【図１】
0003110042.tif 000003
【図２】
0003110042.tif 000004
【図３】
0003110042.tif 000005
【図４】
0003110042.tif 000006
【図５】
0003110042.tif 000007
【図６】
0003110042.tif 000008
【図７】
0003110042.tif 000009
【図８】
0003110042.tif 000010
【図９】
0003110042.tif 000011